(57)【特許請求の範囲】
【請求項１】
矩形を呈し少なくとも一方が透液性を有する第１シートと第２シートとが重なり合い、これら両シートの第１側縁部と第２側縁部どうしをそれぞれ一体化することにより前記両シートの上端縁部どうしで開口が形成される一方、前記両シートの下端縁部で前記第１シートと第２シートとで底部が形成され、前記第１シートの外側には前記上端縁部から前記下端縁部に向かっての折り返し部分が設けられ、前記折り返し部分の側縁部それぞれが前記両シートの第１、第２側縁部とともに一体化されてなる矩形の袋本体と、前記袋本体上方の両隅部のそれぞれに両端部のそれぞれが固定されている一条の吊り下げひもとからなる吊り下げひもの付いたフィルタ用の袋において、
前記ひもの両端部のうちの一端部が前記第１シートと前記折り返し部分との間において前記両隅部のうちの一隅部に固定され、前記袋本体の前記両隅部における他隅部が、前記折り返し部を裏返して前記開口を閉じるように折り返したときに前記袋本体の前記上端縁部の両側を斜めに折り畳む折り畳み予定線より外側に位置する部位で溶着一体化され、前記一端部を前記一隅部に固定した前記ひもが前記第１シートと前記折り返し部分との間から出て前記第１シートの表面上で折曲し、前記折り畳み予定線を横切って前記他隅部へ延び、該ひもの他端部が、溶着一体化された前記部位において前記折り返し部の表面に固定され、前記他隅部の溶着一体化された前記部位には、前記袋本体からの分離を可能にする切断容易な部分が前記ひもを跨いで形成されていることを特徴とする前記フィルタ用の袋。
【発明の詳細な説明】
【０００１】
【発明の属する技術分野】
この発明は、削り節や煮干し、茶葉、コーヒー粉末等の成分を抽出するときに使用するのに好適なフィルタ用の吊り下げひも付き袋に関する。
【０００２】
【従来の技術】
実開平１−１７０６５８号公報にはこの種の袋としてフィルターバッグなるものが開示されている。このフィルターバッグでは、透水性合成繊維布からなる矩形のバッグ本体に吊状体なる一条のひもが設けられている。吊状体は、その両端がバッグ本体の両側縁部に固定されており、両端の中間部分でその吊状体を摘むことによって、例えば削り節を煮出す鍋の中に浸されたフィルターバッグを取り出すことができる。
【０００３】
実公平３−４８０５６号公報には、この種の袋としてパックなる考案が開示されている。このパックでは、不織布等からなる矩形の袋体に一条の取出用ひもが設けられている。このひもは、その一端部が袋体の一隅部に固着されており、他端部が外部に延長されて自由端部を形成している。そして、この取出用ひもの自由端部に四角な紙片を貼着して摘持部を設けた場合は、例えば削り節の入ったパックを鍋で煮出す際に、この摘持部を鍋の外に出しておけば、この摘持部を摘むことにより該パックを鍋から容易かつ安全に取り出すことができる。
【０００４】
【発明が解決しようとする課題】
しかしながら、前記実開平１−１７０６５８号公報に開示のフィルタ用の袋では、取り出し用のひもの両端部が袋に固定されているから、袋とひもとの間に箸等を差し入れてその箸にひもを引掛けて袋を吊り上げるようにして鍋から取り出すことができる。しかし、このときに箸から垂れ下がる袋は、ひもが上方へ引張られた状態になることによって、袋の口が開き、削り節等が袋の外へ出易くなるという問題があった。
【０００５】
前記実公平３−４８０５６号公報に開示のフィルタ用の袋では、パックの取出用ひもは、一端が自由になっているので、多数のパックを包装する際に絡まり易いという問題があった。また、該ひもの自由端を摘みやすくしたり、鍋の外に出して保持しやすくしたりするためには、端部に四角な紙片等の別部材を取り付ける必要があった。このため、パックの包装作業が煩雑になったり、部品点数が増えたりして製品コストの上昇を招いていた。
【０００６】
本発明は、このような問題点を解決するためになされたもので、使用時に削り節等の煮出し作業が容易であり、製造時に包装作業が容易であるとともに部品点数が増加することのない吊り下げひものついたフィルタ用の袋を提供することを目的とする。
【０００７】
【課題を解決するための手段】
前記課題を解決するために、本発明が前提としているものは、矩形を呈し少なくとも一方が透液性を有する第１シートと第２シートとが重なり合い、これら両シートの第１側縁部と第２側縁部どうしをそれぞれ一体化することにより前記両シートの上端縁部どうしで開口が形成される一方、前記両シートの下端縁部で前記第１シートと第２シートとで底部が形成され、前記第１シートの外側には前記上端縁部から前記下端縁部に向かっての折り返し部分が設けられ、前記折り返し部分の側縁部それぞれが前記両シートの第１、第２側縁部とともに一体化されてなる矩形の袋本体と、前記袋本体上方の両隅部のそれぞれに両端部のそれぞれが固定されている一条の吊り下げひもとからなる吊り下げひもの付いたフィルタ用の袋である。
【０００８】
かかる前提において、この発明の特徴は、前記ひもの両端部のうちの一端部が前記第１シートと前記折り返し部分との間において前記両隅部のうちの一隅部に固定され、前記袋本体の前記両隅部における他隅部が、前記折り返し部を裏返して前記開口を閉じるように折り返したときに前記袋本体の前記上端縁部の両側を斜めに折り畳む折り畳み予定線より外側に位置する部位で溶着一体化され、前記一端部を前記一隅部に固定した前記ひもが前記第１シートと前記折り返し部分との間から出て前記第１シートの表面上で折曲し、前記折り畳み予定線を横切って前記他隅部へ延び、該ひもの他端部が、溶着一体化された前記部位において前記折り返し部の表面に固定され、前記他隅部の溶着一体化された前記部位には、前記袋本体からの分離を可能にする切断容易な部分が、前記ひもを跨いで形成されていることである。
【０００９】
【発明の実施の形態】
以下、本発明を図面に示す実施の形態に基づいて詳細に説明する。
【００１０】
この実施の形態は、本発明を緑茶、紅茶等茶葉の吊り下げひもの付いたフィルタ用の袋に適用したものである。
【００１１】
図１は、吊り下げひもの付いたフィルタ用の袋１の斜視図である。
【００１２】
図２は、同袋１の使用手順を説明するための吊り下げひもの付いたフィルタ用の袋１の斜視図である。
【００１３】
図３もまた、同袋１の使用手順を説明するための吊り下げひもの付いたフィルタ用の袋１の斜視図である。
【００１４】
図４は、図３に示す同袋１の一側面の状態を示す斜視図である。
【００１５】
図１に示すように、吊り下げひもの付いたフィルタ用の袋１は、熱可塑性合成繊維からなる透液性の不織布からなる袋本体２と、熱可塑性合成繊維製の撚りひもからなる一条の吊り下げひも３とによって形成されている。
【００１６】
袋本体２は、１枚の前記不織布を折り重ねることにより形成した矩形のもので、前面に位置する第１シート４と、後面に位置する第２シート５とを有し、第１シート４と第２シート５とは、第１シート４の第１側縁部７ａと第２シート５の第２側縁部７ｂどうしが接合線７で熱溶着されてそれぞれ一体化している。このように一体化することにより、これらの第１シート４と第２シート５との上端縁部９どうしで開口８が形成されている。また、不織布は折り重ねられているので、袋本体２の下端縁部では、第１シート４と第２シート５とは一体化しており、この一体化した第１シート４と第２シート５と、前述の熱溶着された接合線７とにより底部６が形成されている。
【００１７】
第１シート４には、前記不織布が上端縁部９で袋本体２の外側へ底部６に向かって折り重ねられることによって第１折り返し部１０が設けられ、第２シート５には、不織布が上端縁部９で袋本体２の内側へ底部６に向かって折り重ねられて第２折り返し部１１が形成されている。これら第１折り返し部１０および第２折り返し部１１とはともに前記接合線７の形成時に第１シート４および第２シート５に一体化されている。
【００１８】
吊り下げひも３は、その両端部３ａ，３ｂの一端部３ａが第一折り返し部１０と第１シート４との間にあって、前記接合線７の形成時に上端縁部９と側縁とが交差する一隅部２ａに接合線７で同時熱溶着されている。他方、ひも３の他端部３ｂは反対側の他隅部２ｂに第１折り返し部１０の表面で熱溶着されて、袋本体２と一体的に固定されている。具体的には、袋本体２の第１シート４、第２シート５、第１折り返し部１０及び第２折り返し部１１は、袋本体２の他隅部２ｂにおいて後述する折り畳み予定線より外側に位置する部位で熱溶着により一体化されている。この部位を「熱溶着部位」と称する。そして、ひも３の他端部３ｂは、熱溶着部位の形成時に同時にその表面に熱溶着されて固定されている。袋本体２の他隅部２ｂにおける熱溶着部位の内側には、この他隅部２ｂをひも３とともに袋本体２から分離を可能にするために、切断容易な部位として、袋本体２にひも３が熱溶着されているわずかな溶着部２１を残して斜めに切り込んだ切込み部２０が形成されている。言い換えれば、切込み部２０は、第２側縁部７ｂと上端縁部９との間に延びていて、ひも３を跨いで形成されている。この切込み部２０により、他隅部２ｂにおける熱溶着部位の大部分は、ひも３の他端部３ｂと共に袋本体２から容易に分離可能となっている。
【００１９】
すなわち、吊り下げひも３は、その一端部３ａから第１折り返し部１０と第１シート４との間を袋本体２の底部６に向かって延びて、第１折り返し部１０の下端から外に出る。さらに、ひも３は、この第１シート４の表面で図示のように円弧状をなして折曲し、袋本体２の使用時に必要な長さを確保した上で他隅部２ｂに向かって第１折り返し部１０の表面に沿い、かつ後述する折り畳み予定線を横切って他隅部２ｂへ向かって延び、その他端部３ｂが他隅部２ｂの熱溶着部位に第１折り返し部１０の表面で熱溶着にて固定されている。また、他隅部２ｂの熱溶着部位は、使用前には、袋本体２の一部をなし、使用時には、袋本体２から分離されてひも３の摘持部となっている。
【００２０】
なお、この他隅部２ｂが分離されることにより残る袋本体２の斜め状辺部２ｃは、ひも３を第１折り返し部１０の表面で熱溶着する際に、同時に熱溶着され熱溶着部位の残部であり、切込み部２０により一部分が切り取られた他隅部２ｂを封止している。
【００２１】
次に、フィルタ用の袋１の使用方法を説明するとともに該袋１の作用を説明する。
【００２２】
袋１の開口８を開いて適量の茶葉をいれる。
【００２３】
ついで、図１の想像線に示すように、他隅部２ｂを袋本体２から切り取るとともに１点鎖線（折り畳み予定線）で示された袋本体２の部分を第２シート５が内側になるように斜めに折り畳み、袋１を図２に示すように形成する。
【００２４】
ついで、図３に示すように、第１折り返し部１０をその下端をもって裏返して開口８を閉じる。ひも３は、第１シート４と裏返しされた第１折り返し部１０との間から外に延出する。
【００２５】
前述の斜めに折り畳む袋本体２の折り畳み量は、図３の反対側の一側面を示す図４に描かれているように、前記接合線７が第１折り返し部１０からわずかに現れる程度が好ましい。このような折り畳み量を確保できるように、充填する茶葉の量も加減する。
【００２６】
また、袋１には、図１の破線に示すように、第２シート５に形成した第２折り返し部１１が袋本体２の内側に位置しているので、多少茶葉の充填量が多くなっても、開口８において充填した茶葉を覆うように作用し、開口８を閉じる第１折り返し部１０と相俟って充填した茶葉が外に漏れることはない。
【００２７】
ついで、ひも３が固定された他隅部２ｂを摘持しながら袋１を急須等に入れるとともにこの他隅部２ｂを急須等の外に保持する。袋本体２から分離された他隅部２ｂは、ひも３の勝手な動きを防止する錘の作用をし、ひも３を所望の位置に保持している。
【００２８】
茶葉の成分の抽出が適当になされた後、この他隅部２ｂを摘持しながら袋１を急須等から取り出す。この際、この他隅部２ｂは急須等の外に保持されているので、容易に摘持することができる上に高温の湯によるやけどなどの心配もなく極めて容易かつ安全に袋１を取り出すことができる。
【００２９】
また、次に、この吊り下げひもの付いたフィルタ用の袋１の製造時における作用を説明する。
【００３０】
袋１は、袋本体２および吊り下げひも３とも熱可塑性合成繊維から形成されているので、前述した様々な固定を熱溶着で行うことができる。
【００３１】
また、袋１は、前述のように吊り下げひも３が、当該ひも３の両端部３ａ、３ｂで袋本体２に固定されているとともにその全長は袋本体２の表面に円弧状に収められているので、多数の袋１を包装する際に絡まることがなく収めることができる。しかも、この絡まることがなく収めることができるようにした手段である当該ひも３の他端部３ｂが固定された袋本体２の他隅部２ｂが、容易に分離可能となっていることにより、該ひも３の他端部３ｂに別部材を取り付ける必要をなくして摘持部とすることができるという一石二鳥の作用を有する。
【００３２】
このため、包装作業が煩雑になったり、部品点数が増えたりして製品コストの上昇を招くということがない。
【００３３】
前述の実施の形態は、本発明を緑茶、紅茶等茶葉の吊り下げひもの付いたフィルタ用の袋に適用したものであるが、本発明は、この実施の形態に限らず、削り節や煮干しのだし汁抽出、コーヒーの抽出等様々な抽出用途に利用することができる。
【００３４】
前述の実施の形態は、透液性を有するシートとして一枚の不織布を用いているが、本発明は、不織布に限らず多孔性のプラスチックフィルム等、透液性を有する材料を広く用いることができる。また、一枚のシートに限らず二枚の同材料のシートを用いることもできるし、異なる材料を組み合わせて用いることもできる。また、二枚のシートは、一方が透液性であれば、他方は不透液性であってもよい。
【００３５】
前述の実施の形態は、袋１の構成材料をすべて熱可塑性合成繊維から形成しているが、本発明は、熱可塑性合成繊維に限らず天然繊維等その他も利用することができる。ただしその場合は、構成材料同士を固定する場合に接着剤その他の固着手段を用いる必要がある。
【００３６】
前述の実施の形態は、第２シート５には袋本体２の内側へ折り重ねられた第２折り返し部１１が形成されているので、充填物の外への漏れ防止に一層好ましいが、この第２折り返し部１１は必ずしも必要ではなく、第一折り返し部１０のみでも充填物の漏れ防止を行うことができる。
【００３７】
前述の実施の形態は、袋本体２の他隅部２ｂの内側に、斜めの切込み部２０を形成することにより、他隅部２ｂが容易に分離可能になっているが、これに限らず、ミシン目を入れる、薄膜状部を形成するなどして他隅部２ｂを容易に分離可能にしてもよい。
【００３８】
【発明の効果】
本発明に係る吊り下げひもの付いたフィルタ用の袋は、吊り下げひもの両端部が袋本体の両隅部にそれぞれ固定されているとともに、その他隅部は前記袋本体から分離可能で、該袋の摘持部となっているので、その製造に際して、包装作業が容易であるとともに部品点数を増加することがない。また、これにより、製造コストを安価にすることができる。さらに、本発明に係る吊り下げひもの付いたフィルタ用の袋によれば、吊り下げひもの両端部が袋本体の両隅部にそれぞれ固定されているとともに、該ひものすべての部分が袋本体の表面上に円弧状に収められており、袋本体の周縁から外側に飛び出ることがないため、多数の袋を包装する際に絡まることがなく収めることができる。
【００３９】
また、該袋は、それを例えば急須等から取り出すときに、袋本体から分離された他隅部が急須等の外に保持されているので、使用者は、この隅部を容易に摘持することができる上に高温の湯によるやけどなどの心配もなく、極めて容易かつ安全にこの袋を容器から取り出すことができる。
【図面の簡単な説明】
【図１】  吊り下げひもの付いたフィルタ用の袋の斜視図。
【図２】  吊り下げひもの付いたフィルタ用の袋の使用手順を説明する斜視図。
【図３】  吊り下げひもの付いたフィルタ用の袋の使用手順を説明する斜視図。
【図４】  図３に示す同袋の一側面の状態を示す斜視図。
【符号の説明】
１      袋
２      袋本体
２ａ    一隅部
２ｂ    他隅部
３      吊り下げひも
３ａ    一端部
３ｂ    他端部
４      第１シート
５      第２シート
６      底部
７      接合線
７ａ    第１側縁部
７ｂ    第２側縁部
８      開口
９      上端縁部
１０    第１折り返し部
２０    切込み部（切断容易な部位）
【図１】
0003683816.tif 000002
【図２】
0003683816.tif 000003
【図３】
0003683816.tif 000004
【図４】
0003683816.tif 000005